(57)【要約】【課題】良好なクリーニング機能を長期にわたって得ることができる、携帯電話等の各種携帯機器の表示画面の清掃に好適な携帯用ワイピンググッズを得ることを目的とする。【解決手段】本発明に係る携帯用ワイピンググッズは、クリーニング機能を発揮する多数枚のワイピングシート２からなるシート束３と、シート束３の前後面をカバーする前カバー１０および後カバー１１を備えた外装カバー４とを含む。ワイピングシート２は、極細繊維を含んだワイピング繊維からなる織布又は不織布である。【選択図】図２
2009160024.tif 000002
【特許請求の範囲】
【請求項１】
クリーニング機能を発揮する多数枚のワイピングシート（２）からなるシート束（３）と、シート束（３）の前後面をカバーする前カバー（１０）および後カバー（１１）を備えた外装カバー（４）とを含み、
ワイピングシート（２）が、極細繊維を含んだワイピング繊維からなる織布又は不織布であることを特徴とする携帯用ワイピンググッズ。
【請求項２】
シート束（３）が、外装カバー（４）に対して交換可能に構成されている請求項１記載の携帯用ワイピンググッズ。
【請求項３】
シート束（３）の上端に設けられた貫通孔（２３）および前後カバー（１０・１１）の上端に設けられた開口（２４）に、シャフト（１７）が前後一方向の抜け止めを図って挿入されており、
シャフト（１７）の一端にはねじ部（２２）が形成されており、該ねじ部（２２）にはエンド部材（１８）が螺合接合されている請求項２記載の携帯用ワイピンググッズ。
【請求項４】
外装カバー（４）は、前後カバー（１０・１１）と、両カバー（１０・１１）の上端において、これらカバー（１０・１１）を接合する背表紙部（１２）とを含み、前後カバー（１０・１１）がシート束（３）の前後面に沿う閉姿勢と、背表紙部（１２）との境界部を支点として本を開くように展開する開姿勢との間で姿勢変位可能に構成されており、
外装カバー（４）に、前後カバー（１０・１１）が不用意に閉姿勢から開姿勢に姿勢変位することを防ぐための姿勢保持具（２６）が設けられている請求項１ないし３のいずれかに記載の携帯用ワイピンググッズ。
【請求項５】
外装カバー（４）は前後カバー（１０・１１）からなり、
ワイピングシート（２）が、シャフト（１７）に対して揺動自在に構成されている請求項３記載の携帯用ワイピンググッズ。
【請求項６】
シート束（３）に、各ワイピングシート（２）を切り離すための易切断部（８）が設けられている請求項４記載の携帯用ワイピンググッズ。
【発明の詳細な説明】
【技術分野】
【０００１】
本発明は、携帯用ワイピンググッズに関する。本発明に係る携帯用ワイピンググッズは、携帯電話、携帯テレビ、携帯カメラ、携帯ゲーム機等の各種携帯機器の表示画面に付着の脂分や塵埃等の拭き取りに使用するのに好適である。
【背景技術】
【０００２】
例えば、カメラのレンズに付着に皮脂の汚れ等を拭き取るものとして、極細繊維を織り込んだ織布からなるハンカチ状のメガネ拭き（ワイピングクロス）が広く知られている。
【０００３】
クリーニング機能を備えた携帯電話用のストラップにも多数のものがあり、例えば特許文献１には、単繊維繊度が０．００１〜１．１デシテックスの極細繊維を少なくとも表面に有する繊維布で形成されたストラップが開示されている。また、特許文献２には、クリーニング機能を備えたワイピングクロスと、模様形成が可能な可撓シート材とが面接合されてなる携帯用ワイピンググッズが開示されている。
【０００４】
【特許文献１】特開２００２−７８５２２号公報
【特許文献２】特開２００３−３２２８２９号公報
【発明の開示】
【発明が解決しようとする課題】
【０００５】
これら特許文献に記載のストラップや携帯用ワイピンググッズの問題は、クリーニング機能を発揮する拭布部分の面積があまりに少なく、拭布部分に脂分や塵埃が付着して、クリーニング機能が低下しやすいことにある。このように、一度汚れた拭布部分で携帯機器の表示画面を拭くと、表示画面に油分等の汚れが移行しやすい。
【０００６】
本発明の目的は、上記のような従来の携帯用ワイピンググッズの抱える問題を解決するためになされたものであり、良好なクリーニング機能を長期にわたって得ることができる、携帯電話等の各種携帯機器の表示画面の清掃に好適な携帯用ワイピンググッズを得ることを目的とする。
【課題を解決するための手段】
【０００７】
本発明に係る携帯用ワイピンググッズは、図１、図２、図６および図７に示すように、クリーニング機能を発揮する多数枚のワイピングシート２からなるシート束３と、シート束３の前後面をカバーする前カバー１０および後カバー１１を備えた外装カバー４とを含む。そして、ワイピングシート２が、極細繊維を含んだワイピング繊維からなる織布又は不織布であることを特徴とする。
【０００８】
本発明におけるワイピングシート２とは、極細繊維を含んだワイピング繊維からなる織布又は不織布である。極細繊維の繊度は、０．０１〜０．１デシテックスとすることができる。極細繊維の材質としては、アクリル系繊維、ポリエステル系繊維、ナイロン系繊維、ポリプロピレン繊維、ポリエチレン繊維、セルロース繊維等を用いることができる。これら繊維を混合又は他の異種繊維と混合させてもよい。
【０００９】
極細繊維には、多角断面繊維を用いることが好ましい。すなわち、一本の繊維を径中心から放射状に分割してなる繊維や、一本の繊維を上下方向に層状に分割してなる繊維を採用することが好ましい。このような多角断面の極細繊維でワイピングシート２を形成していると、多角断面に由来するカキ取り効果により、携帯機器の表示画面等に付着の脂分や塵埃等の汚れを効果的に拭き取ることができる。
【００１０】
図４に示すごとく、シート束３は、外装カバー４に対して交換可能に構成することが望ましい。
具体的には、図４に示すごとく、シート束３の上端に設けられた貫通孔２３および前後カバー１０・１１の上端に設けられた開口２４に、シャフト１７が前後一方向の抜け止めを図って挿入されており、シャフト１７の一端にはねじ部２２が形成されており、該ねじ部２２にはエンド部材１８が螺合接合されている形態を採ることができる。
【００１１】
外装カバー４は、前後カバー１０・１１と、両カバー１０・１１の上端において、これらカバー１０・１１を接合する背表紙部１２とを含み、前後カバー１０・１１がシート束３の前後面に沿う閉姿勢と、背表紙部１２との境界部を支点として本を開くように展開する開姿勢との間で姿勢変位可能に構成されており、図５に示すごとく、外装カバー４に、前後カバー１０・１１が不用意に閉姿勢から開姿勢に姿勢変位することを防ぐための姿勢保持具２６を設けることができる。
【００１２】
図６および図７に示すごとく、外装カバー４は前後カバー１０・１１からなり、ワイピングシート２が、シャフト１７に対して揺動自在に構成されているものとすることができる。
【００１３】
図１および図４に示すごとく、シート束３には、各ワイピングシート２を切り離すための易切断部８を設けることが望ましい。
【発明の効果】
【００１４】
本発明では、クリーニング機能を発揮する多数枚のワイピングシート２からなるシート束３と、これをカバーする二つ折り状の外装カバー４とを含んで携帯用ワイピンググッズ１を構成した。このように多数枚のワイピングシート２からなるシート束３を備える構成としていると、一枚のワイピングシート２の表裏面が汚れた場合にも、次のワイピングシート２を用いれば、良好なクリーニング機能を得ることができ、ワイピングシート２の枚数分だけ良好なクリーニング機能を得ることができる。したがって、汚れたワイピングシート２で携帯機器の表示画面を拭くことによる汚れの転移を効果的に防ぐことができ、使い勝手に優れた携帯用ワイピンググッズ１を得ることができる。外装カバー４の前後カバー１０・１１でシート束３をカバーできるので、携帯時においてワイピングシート２が汚れるおそれがなく、携帯性にも優れている。
【００１５】
シート束３が、外装カバー４に対して交換可能に構成されていると、ワイピングシート２を使い切ったときには、新しいシート束３に交換すればよく、携帯用ワイピンググッズ１の全体を交換する形態に比べて、経済性に優れている。外装カバー４が汚れた場合には、これのみを洗浄することができ、実用性に優れる。
【００１６】
具体的には、シート束３の上端に設けられた貫通孔２３および前後カバー１０・１１の上端に設けられた開口２４に、シャフト１７が前後一方向の抜け止めを図って挿入されており、シャフト１７の一端にはねじ部２２が形成されており、該ねじ部２２にはエンド部材１８が螺合接合されている形態を採ることができる。これによれば、エンド部材１８のシャフト１７に対する螺合接合を解除したうえで、シャフト１７をシート束３の貫通孔２３および前後カバー１０・１１の開口２４から抜き取れば、シート束３を外装カバー４から分離することができ、また、貫通孔２３と開口２４とを位置合わせしたうえでシャフト１７を貫通孔２３および開口２４に挿入し、エンド部材１８を螺合接合することで、シート束３を外装カバー４に接合することができる。したがって、外装カバー４に対するシート束３の交換作業を簡単確実に行うことができる。
【００１７】
図１、図２および図５に示すごとく外装カバー４は、前後カバー１０・１１が本を開くように展開できる開姿勢と、前後カバー１０・１１が閉じられる閉姿勢との間で姿勢変位可能に構成されており、外装カバー４に、前後カバー１０・１１が不用意に閉姿勢から展開姿勢に姿勢変位することを防ぐための姿勢保持具２６を設けることができる。これによれば、不用意に外装カバー４が展開姿勢になることを姿勢保持具２６で防ぐことができるので、シート束３が表面に露出してワイピングシート２が汚れることを防いで、携帯用ワイピンググッズ１の携帯性や信頼性を向上できる。
【００１８】
ワイピングシート２がシャフト１７に対して揺動自在に構成されていると、図６に示すごとく、ワイピングシート２が前後カバー１０・１１と重畳する常態姿勢と、図７に示すごとく、シャフト１７まわりにワイピングシート２を回転させて、該ワイピングシート２が前後カバー１０・１１の間から引き出される使用姿勢との間で、ワイピングシート２を姿勢変位させることができる。かかる使用姿勢においては、ワイピングシート２の前後面を使って、携帯機器の表示画面等を清掃することができる。また、常態姿勢においては、前後カバー１０・１１でワイピングシート２をカバーできるので、携帯時においてワイピングシート２が汚れるおそれがなく、携帯性にも優れている。
【００１９】
シート束３に、各ワイピングシート２を切り離すための易切断部８が設けられていると、軽い力で以て、ワイピングシート２を一枚ずつ切り離すことができる。したがって、一枚ずつワイピングシート２を切り離して使用することが容易である。また、使用済みのワイピングシート２を切り離して廃棄することで、常に未使用のワイピングシート２のみを残しておくことができ、実用性に優れている。
【発明を実施するための最良の形態】
【００２０】
（第１実施形態）  図１ないし図４に本発明に係る携帯用ワイピンググッズ（以下、単にワイピンググッズと記す）の第１実施形態を示す。図１および図２においてワイピンググッズ１は、クリーニング機能を発揮する多数枚のワイピングシート２からなるシート束３と、このシート束３をカバーする外装カバー４と、脱落防止用、紛失防止用のストラップ５とで構成される。このストラップ５は、携帯電話等の携帯機器のストラップ装着部に連結することができる。
【００２１】
シート束３は、四角形状の多数枚のワイピングシート２で構成され、これらワイピングシート２を重畳した状態で、その一側辺部（図示例では上端部）を糊等で固着してなる。すなわち、シート束３は、上端部から所定幅で糊付けされた固着部７と、該固着部７の下方に形成された多数枚のワイピングシート２とで構成される。各ワイピングシート２の固着部７との境界部には、ミシン目（易切断部）８が設けられており、例えばワイピングシート２の下端部を指先で摘んで、これを引っ張ることで、ミシン目８に沿ってワイピングシート２を一枚ずつ確実に切り離すことができる。
なお、図１においては、シート束３は９枚のワイピングシート２を備えるものを示したが、ワイピングシート２の枚数は、これ以上であってもこれ以下であってもよい。また、本実施形態においては、説明の便宜上、図１および図２に示すごとく、上下、前後および左右方向を規定する。
【００２２】
ワイピングシート２は、極細繊維を含んだワイピング繊維からなる織布又は不織布である。極細繊維の繊度は、０．０１〜０．１デシテックスとする。極細繊維の材質としては、アクリル系繊維、ポリエステル系繊維、ナイロン系繊維、ポリプロピレン繊維、ポリエチレン繊維、セルロース繊維等を用いることができる。これら繊維を混合又は他の異種繊維と混合させてもよい。
【００２３】
極細繊維には、多角断面繊維を用いることが好ましい。すなわち、一本の繊維を径中心から放射状に分割してなる繊維や、一本の繊維を上下方向に層状に分割してなる繊維を採用することが好ましい。このような多角断面の極細繊維でワイピングシート２を形成していると、多角断面に由来するカキ取り効果により、携帯機器の表示画面等に付着の脂分や塵埃等の汚れを効果的に拭き取ることができる。
【００２４】
図２および図３（ａ）・（ｂ）に示すように、外装カバー４は、長方形状の可撓性を有するプラスチック製のシート体をブックカバー形に折り曲げてなるものであり、シート束３の前後面を覆う前後カバー１０・１１と、両カバー１０・１１の上端において、これらカバー１０・１１を接合する背表紙部１２とで構成される。外装カバー４は、前後カバー１０・１１がシート束３の前後面に沿う閉姿勢と、背表紙部１２との境界部を支点として、本を開くように展開する開姿勢との間で姿勢変位可能である。また、携帯に際してシート束３が汚れることが無いように、前後カバー１０・１１の盤面積は、シート束３のそれよりも若干大きく形成されている（図２参照）。
【００２５】
図２および図３に示すように、外装カバー４の前後カバー１０・１１の表面には、各種模様１３が印刷形成により現出される。マスコットキャラクター等を印刷形成することもできる。
本実施形態では外装カバー４の裏面にも、クリーニング機能を発揮するワイピング布１４が縫合されている。かかるワイピング布１４は、先に挙げた極細繊維等からなる織布又は不織布である。
【００２６】
図１および図４において、符号１７はシート束３と外装カバー４とを締結固定するためのシャフトを、符号１８は、該シャフト１７の一端に装着されるエンド金具（エンド部材）１８を示す。シャフト１７は、前後方向に伸びる径寸法が一定なシャフト本体１９を基体とする金属成形品であり、シャフト本体１９の一端に抜止用のフランジ２０を備え、他端にエンド金具１８の雄ねじ体２１に螺合接合される雌ねじ体（ねじ部）２２を備える。図３（ａ）・（ｂ）および図４に示すように、シート束３の固着部７の左右中央には、シャフト１７を挿入するための貫通孔２３が形成されており、該貫通孔２３に対応して、前後カバー１０・１１およびワイピング布１４には、一対の開口２４が形成されている。エンド金具１８の頭部には、通孔２５が設けられており、該通孔２５にはストラップ５が装着されている。
【００２７】
しかるに、シート束３を外装カバー４に包持させた状態で、外装カバー４の開口２４をシート束３の貫通孔２３に位置合わせしてから、雌ねじ体２２の側からシャフト本体１９を後シート１１の開口２４およびシート束３の貫通孔２３に挿入し、前カバー１０の開口２４から突き出たシャフト本体１９にエンド金具１８を螺合固定させることで、外装カバー４にシート束３を脱落不能に保持させることができる。また、エンド金具１８のシャフト本体１９との接合状態を解除したうえで、シャフト１７をシート束３および外装カバー４から抜き取ることで、シート束３を外装カバー４から取り外すことができる。また、先の取り外し作業の後、新たなシート束３を装着することで、外装カバー４に対してシート束３を交換することができる。
【００２８】
以上のように本実施形態に係る携帯用ワイピンググッズ１では、多数枚のワイピングシート２からなるシート束３を備えるものとしたため、これらワイピングシート２の枚数分だけ、フレッシュなワイピングシート２で携帯機器の表示画面等のクリーニングを行うことができる。つまり、携帯機器等には脂分や塵埃などの汚れが付いているため、一度ワイピングシート２を使って脂分等を拭き取ると、当該脂分等がワイピングシート２に移行してクリーニング機能が著しく低下しやすい。また、一度使用したワイピングシート２で再びクリーニングを行うと、ワイピングシート２に付着の脂分が携帯機器等に再び移行するおそれもある。この点、本実施形態に係る携帯用ワイピンググッズ１のように、多数枚のワイピングシート２を備えるものとしていると、ワイピングシート２を順々にシート束３から切り離して使用すれば、常にフレッシュなクリーニング機能を備えたワイピングシート２で携帯機器のクリーニングやワイピングを行うことができる。したがって、クリーニング機能の低下や脂分等の携帯機器への再付着等の問題は生じず、良好なクリーニング機能で以て、確実に携帯機器を清掃することができる。
また、シート束３よりも大きな盤面積を有する前後カバー１０・１１で、該シート束３を抱持するので、ワイピンググッズ１の携帯時にワイピングシート２が汚れたり、折れ曲がったりすることを効果的に防止できる。
【００２９】
シート束３が、外装カバー４に対して交換可能に構成されていると、ワイピングシート２を使い切ったときには、新しいシート束３に交換すればよく、携帯用ワイピンググッズ１の全体を交換する形態に比べて、経済性に優れている。外装カバー４が汚れた場合には、これのみを洗浄することができ、実用性に優れている。
【００３０】
シート束３の固着部７との境界部に、各ワイピングシート２を切り離すためのミシン目８が設けられていると、ワイピングシート２を指先で摘み引っ張るだけで、ミシン目８に沿ってワイピングシート２を綺麗に切り離すことができる。クリーニング機能が低下した使用済みのワイピングシート２を切り離して廃棄することも容易となる。
【００３１】
（第２実施形態）  図５（ａ）・（ｂ）に本発明の第２実施形態に係る携帯用ワイピンググッズを示す。そこでは、外装カバー４に、前後カバー１０・１１が不用意に閉姿勢から開姿勢に姿勢変位することを防ぐための姿勢保持具２６を設けた点が先の第１実施形態と相違する。それ以外の点は、先の第１実施形態と同様であるので、同一部材には同一符号を付して、その説明を省略する。
【００３２】
姿勢保持具２６は、基端部が後カバー１１の表面の下端部に固定されて、下方に向けて片持ち状に伸びる舌片２７と、舌片２７の遊端部に装着された凹状のボタン２８と、前カバー１０の表面の下端部に設けられて、ボタン２８と係合する凸状のスナップ２９とで構成される。舌片２７は、後カバー１１の左右中央部に固定される。舌片２７は、可撓性を有するプラスチックシートであり、外装カバー４を閉姿勢として、後カバー１１および前カバー１０の下端に沿わしたうえで、遊端を上方に折り返すことで、ボタン２８をスナップ２９に係合させることができる。
【００３３】
以上のような携帯用ワイピンググッズ１によれば、ボタン２８とスナップ２９との係合力により、前後カバー１０・１１が不用意に閉姿勢から開姿勢になることを防ぐことができる。したがって、携帯時等において、ワイピングシート２が汚れたり、折れ曲がったりすることを効果的に防止できる。
【００３４】
（第３実施形態）  図６および図７に本発明の第３実施形態に係る携帯用ワイピンググッズを示す。そこでは、外装カバー４を前後カバー１０・１１で構成してシート束３の上方を開放した点、および、ワイピングシート２をシャフト１７に対して揺動自在に構成した点が、先の第１実施形態と相違する。ここでのシート束３を構成する各ワイピングシート２は、糊付けされずに互いに分離されており、図７に示すごとく、１枚のワイピングシート２を前後カバー１０・１１および他のワイピングシート２に対して揺動変位させることができる。なお、各ワイピングシート２は、第１実施形態のそれと比べて厚手に形成されている。
【００３５】
以上の構成によれば、図６に示すごとく、ワイピングシート２が前後カバー１０・１１と重畳する常態姿勢と、図７に示すごとく、シャフト１７まわりにワイピングシート２を回転させて、該ワイピングシート２が前後カバー１０・１１の間から引き出される使用姿勢との間で、ワイピングシート２を姿勢変位させることができる。かかる使用姿勢においては、ワイピングシート２の前後面を使って、携帯機器の表示画面等を清掃することができる。また、常態姿勢においては、前後カバー１０・１１でワイピングシート２をカバーできるので、携帯時においてワイピングシート２が汚れるおそれがなく、携帯性にも優れている。
【００３６】
本実施形態に係るワイピンググッズ１のストラップ６は、その一端がエンド金具１８の頭部に連結され、他端がシャフト１７のフランジ２０に連結されている。それ以外の点は、先の第１実施形態と同様であるので、同一部材には同一符号を付して、その説明を省略する。
【００３７】
（第４実施形態）  図８に本発明の第４実施形態に係る携帯用ワイピンググッズを示す。そこでは、各ワイピングシート２が二つ折り状態でシャフト１７に保持されている点が、先の第３実施形態と相違する。詳しくは、各ワイピングシート２の折り目の近傍には、貫通孔２３・２３が形成されており、各ワイピングシート２は折り目を上方に向けた状態で該貫通孔２３・２３に挿入されたシャフト１７に保持されている。それ以外の点は、先の第３実施形態と同様であるので、同一部材には同一符号を付して、その説明を省略する。
【００３８】
（第１参考実施例）  図９ないし図１１に、携帯用ワイピンググッズの第１参考実施例を示す。この携帯用ワイピンググッズ１は、前後シート３１・３２と、これら前後シート３１・３２の上端を接合する背表紙部３３とからなるシート体３０と、該シート体３０の上端に装着された脱落防止用のストラップ５とで構成される。シート体３０は、前後シート３１・３２が背表紙部３３との境界部において折り曲げられた二つ折りのブックカバー状となる閉姿勢と、前後シート３１・３２が本を開くように展開された展開姿勢との間で姿勢変位可能に構成されている。
【００３９】
シート体３０は、内外のシート基材３５・３６と、両シート基材３５・３６の間に配されたクッション材３７とで構成されており、クッション材３７を介在させた状態で両シート基材３５・３６の周縁を縫合してなる。内シート基材３５の内面には、クリーニング機能を発揮するワイピング部３８が設けられている。ワイピング部３８の詳細は、先の第１実施形態と同様である。背表紙部３３には、リング３９を介して、脱落防止用のストラップ５が装着されている。前後シート３１・３２のそれぞれの盤面中央には、キャラクター等の各種模様４０が印刷形成により現出されている。
【００４０】
（第２参考実施例）  図１２に、携帯用ワイピンググッズの第２参考実施例を示す。この携帯用ワイピンググッズは、前後カバー４２・４３と、該前後カバー４２・４３の上端部を繋ぐ背表紙部４４とで構成されるブックカバー形の外装カバー４５と、背表紙部４４の内面に固定される２枚のワイピングシート４６と、脱落防止用のストラップ５とで構成される。前後カバー４２・４３の内面およびワイピングシート４６の前後面は、クリーニング機能を発揮するワイピング部とされている。外装カバー４５の内部、およびワイピングシート４６の内部には、クッション材４７が配されている。
【００４１】
前後カバー４２・４３およびワイピングシート４６の上端部を貫くように、シャフト１７が装着されており、このシャフト１７の一端にはストラップ５を有するエンド金具１８が装着されている。これらシャフト１７等の構成は、先の第１実施形態に示したものと同様である。前後カバー４２・４３の表面には、マスコットキャラクター等の各種模様４０が現出されている。
【００４２】
図１３に、第２参考実施例に係る携帯用ワイピンググッズ１の変形例を示す。そこでは、ワイピングシート４６の前後面の一方のみを、クリーニング機能を発揮するワイピング部とした点が先の第１実施形態と相違する。それ以外の点は図１２と同様であるので、同一の部材には同一の符号を付して、その説明を省略する。
【００４３】
（第３参考実施例）  図１４および図１５に携帯用ワイピンググッズ１の第３参考実施例を示す。この携帯用ワイピンググッズ１は、携帯機器である携帯電話５０の破損防止用のホルダーに、クリーニング機能を付与している。すなわち、携帯用ワイピンググッズ１は、携帯電話５０の前後面を抱持するホルダー姿勢（図１４参照）と、平坦状となる展開姿勢との間で姿勢変位可能に構成されたシート体５１を主体とする。そして、シート体５１のホルダー姿勢における内面側に、クリーニング機能を発揮するワイピング部５２が設けられている。図１４に示すように、シート体５１は、クリーニング機能を発揮するワイピング布５３と外装シート５４とを、クッション材５５を介在させた状態で縫合してなるものであり、外装シート５４の表面には、マスコットキャラクター等の模様４０が現出されている。
【００４４】
詳しくは、シート体５１は、携帯電話５０の前面を覆う前カバー５６と、携帯電話５０の後面を覆う後カバー５７と、これら前後カバー５６・５７の下端部を繋ぎ、携帯電話５０の下面を覆う下カバー５８とからなる。シート体５１は、携帯電話５０の前後面および下面を抱持するホルダー姿勢と、平坦状となる展開姿勢との間で姿勢変位可能に構成されている。
【００４５】
ホルダー姿勢を保持することを目的として、シート体５１には姿勢保持具が設けられている。姿勢保持具は、前後カバー５６・５７の左右縁の上下方向の中央部のそれぞれから片持ち状に張り出し形成された可撓性を有する舌片５９と、舌片５９に設けられた面ファスナー６０とからなる。対向する前後の舌片５９・５９の面ファスナー６０・６０どうしを掛止させることにより、シート体５１をホルダー姿勢に保つことができ、また、面ファスナー６０・６０どうしの掛止状態を解除することにより、ホルダー姿勢を解いて、シート体５１を展開姿勢とすることができる。
【００４６】
（第４参考実施例）  図１６および図１７に携帯用ワイピンググッズの第４参考実施例を示す。この携帯用ワイピンググッズ１は、上下方向に長い有底筒形のハウジング６５と、ハウジング６５の上端開口に着脱自在に装着される蓋体６６と、蓋体６６の下面から下方に向けて立設状に形成された棒体６７と、棒体６７に装着されたシート体６８と、蓋体６６の上部に装着された脱落防止用のストラップ５で構成される。ハウジング６５は、プラスチックを素材とするものであり、その筒壁の外表面には、マスコットキャラクターなどの各種模様４０が現出されている。ハウジング６５の上端開口縁には、雄ねじ体６９が形成されており、蓋体６６の内面には、該雄ねじ体６９と螺合接合される雌ねじ体７０が形成されている（図１７参照）。
【００４７】
シート体６８は、四角長方形状のクリーニング機能を発揮するワイピング布であり、長方形の一方の短辺が棒体６７に縫合装着されている。シート体６８は、図１７に示すごとく棒体６７に巻かれた捲回姿勢と、棒体６７から引き出された図１６に示すような展開姿勢との間で姿勢変位可能に構成されている。図１７に示すように、シート体６８を捲回姿勢として、これを棒体６７とともにハウジング６５の内部に挿入することで、シート体６８をハウジング６５内に収容することができる。また、展開姿勢とすることで、シート体６８を使った携帯機器の表示画面等に対するワイピング動作を行うことができる。
【００４８】
（第５参考実施例）  図１８および図１９に携帯用ワイピンググッズの第５参考実施例を示す。この携帯用ワイピンググッズ１は、上下方向に長い無底筒形のハウジング７１と、ハウジング７１の内部において、上下方向にスライド移動可能に装着されたホルダー７２と、ホルダー７２の下部に装着されたクリーニング機能を発揮するワイピング布からなるシート体７３と、ホルダー７２の上部に装着された脱落防止用のストラップ５とで構成される。ハウジング７１は、プラスチックを素材とするものであり、その表面には、マスコットキャラクターなどの各種模様４０が現出されている。
【００４９】
図１９に示すように、ホルダー７２は、ハウジング７１の上端開口の内径寸法と略同寸法の内径寸法を有し、ハウジング７１の上端開口と係合する係合部７２ａと、該係合部７２ａよりも大きな外形寸法を有するフランジ部７２ｂと、フランジ部７２ｂの下方に設けられて、シート体７３の上端を保持するホールド部７２ｃとで構成される。フランジ部７２ｂの上面が、ハウジング７１の開口周縁の内面と係合することで、ホルダー７２の上方への抜止が図られる。
【００５０】
シート体７３は、図１８に示すごとく、ハウジング７１の下面開口から引き出される使用姿勢と、図１９に示すごとく、ハウジング７１の内部に収納される収納姿勢との間で、姿勢変位可能である。詳しくは、図１９に示すような収納姿勢から、係合部７２ａを押し下げ操作することにより、シート体７３の下端をハウジング７１から露出させる。そして、シート体７３の下端を指先で摘んで引っ張ることで、ホルダー７２を下方にスライド移動させて、シート体７３の全体をハウジング７１から引き出して、図１８に示すような使用姿勢とすることができる。また、ストラップ５を引っ張り上げることで、ハウジング７１内でホルダー７２を上方へスライド移動させて、図１９に示すような収納姿勢とすることができる。
【００５１】
（第６参考実施例）  図２０および図２１に携帯用ワイピンググッズの第６参考実施例を示す。この携帯用ワイピンググッズは、クリーニング機能を発揮するシート体７５と、シート体７５を取り出すための取出口７６を備える扁平な袋体７７と、袋体７７に装着された脱落防止用のストラップ５とで構成される。図２１に示すように、シート体７５は、クッション材７８を介在させた状態で四角形状のワイピング布７９の周縁を縫合してなるものであり、その表裏面がクリーニング機能を発揮するワイピング部となっている。
【００５２】
袋体７７は、シート体７５の後面を受ける長方形状の第１シート基材８０と、第１シート基材８０よりも上下方向の長さ寸法の小さい、シート体７５の前面を受ける長方形状の第２シート基材８１とからなり、第２シート基材８１の上辺を除く三辺を第１シート基材８０に縫合或いは熱溶着してなる。これら第１および第２シート基材８０・８１の間に、上方に取出口７６を有するシート体７５の収納部８２が形成される。第２シート基材８１の外表面には、マスコットキャラクターなどの各種模様４０が現出されている。
【００５３】
図２２に第６参考実施例の変形例を示す。そこでは、シート体７５の外形形状が、袋体７７と相似形をなしている。図示例では、第１シート基材８０及び第２シート基材８１をハート形とするとともに、シート体７５をこれと相似のハート形とした。
【００５４】
図２３および図２４に第６参考実施例の他の変形例を示す。そこでは、袋体７７を長方形状の一枚の袋基材８５で形成した点が先の図２１の形態と相違する。具体的には、袋基材８５の前端部８５ａを内方側に折り返し重畳部分を熱溶着することで、シート体７５の下面を受ける二重の底部８６を形成したうえで、後端部８５ｂを底部８６に重ねて前辺を除く三辺を熱溶着して、取出口７６を有するシート体７５の収納部８２を形成した。収納部８２の上方を区画する袋基材８５の上表面には、マスコットキャラクター等の模様４０を現出した。
【００５５】
（第７参考実施例）  図２５および図２６に携帯用ワイピンググッズの第７参考実施例を示す。この携帯用ワイピンググッズ１では、扁平四角形状の袋体９０の内部に、多数枚のワイピングシート２からなるシート束３が収納されている。袋体９０を構成する袋基材９１は、シート束３の下面を受ける下面部９２と、下面部９２の前方に連なってシート束３の上面前方部分を覆う前方上面部９３と、下面部９２の後方に連なってシート束３の上面後方部分を覆う後方上面部９４とを有しており、前方上面部９３の連出端９３ａと後方上面部９４の連出端９４ａとが、上下に重なっている。前方上面部９３と後方上面部９４の左右縁が下面部の左右縁に熱溶着されており、前方上面部９３の連出端９３ａと後方上面部９４の連出端９４ａとの間が、取出口９５となっている。前方上面部９３と後方上面部９４の上表面には、マスコットキャラクター等の模様４０が現出されている。
【００５６】
シート束３を構成するワイピングシート２は、極細繊維を含んだワイピング繊維からなる織布又は不織布であり、複数枚のワイピングシート２が重ねられたシート束３の状態で袋体９０の内部に収納されている。ワイピングシート２の詳細は、第１実施形態に示したものと同様であるので、その説明は省略する。
【図面の簡単な説明】
【００５７】
【図１】本発明の第１実施形態に係る携帯用ワイピンググッズの縦断正面図である。
【図２】第１実施形態に係る携帯用ワイピンググッズの斜視図である。
【図３】（ａ）は外装カバーの平面図、（ｂ）は外装カバーの裏面を示す図である。
【図４】外装カバーに対するシート束の交換方法を説明するための図である。
【図５】本発明の第２実施形態に係る携帯用ワイピンググッズを示しており、（ａ）は斜視図、（ｂ）は要部の拡大正面図である。
【図６】本発明の第３実施形態に係る携帯用ワイピンググッズの縦断正面図である。
【図７】第３実施形態に係る携帯用ワイピンググッズの斜視図である。
【図８】本発明の第４実施形態に係る携帯用ワイピンググッズの縦断正面図である。
【図９】第１参考実施例に係る携帯用ワイピンググッズの縦断正面図である
【図１０】第１参考実施例に係る形態用ワイピンググッズの斜視図である。
【図１１】（ａ）はシート体の平面図、（ｂ）はシート体の裏面を示す図である。
【図１２】第２参考実施例に係る携帯用ワイピンググッズの縦断正面図である。
【図１３】第２参考実施例の変形例に係る携帯用ワイピンググッズの縦断正面図である。
【図１４】第３参考実施例に係る携帯用ワイピンググッズの縦断正面図である。
【図１５】第３参考実施例に係る携帯用ワイピンググッズの斜視図である。
【図１６】第４参考実施例に係る携帯用ワイピンググッズの斜視図である。
【図１７】第４参考実施例に係る携帯用ワイピンググッズの縦断正面図である。
【図１８】第５参考実施例に係る携帯用ワイピンググッズの斜視図である。
【図１９】第５参考実施例に係る携帯用ワイピンググッズの縦断正面図である。
【図２０】第６参考実施例に係る携帯用ワイピンググッズの斜視図である。
【図２１】第６参考実施例に係る携帯用ワイピンググッズの縦断正面図である。
【図２２】第６参考実施例の変形例に係る携帯用ワイピンググッズの斜視図である。
【図２３】第６参考実施例に他の変形例に係る携帯用ワイピンググッズの縦断正面図である。
【図２４】第６参考実施例の他の変形例に係る携帯用ワイピンググッズの斜視図である。
【図２５】第７参考実施例に係る携帯用ワイピンググッズの縦断正面図である。
【図２６】第７参考実施例の変形例に係る携帯用ワイピンググッズの斜視図である。
【符号の説明】
【００５８】
１  携帯用ワイピンググッズ
２  ワイピングシート
３  シート束
４  外装カバー
８  易切断部
１０  前カバー
１１  後カバー
１２  背表紙部
１７  シャフト
１８  エンド部材（エンド金具）
２２  雌ねじ体（ねじ部）
２３  貫通孔
２４  開口
２６  姿勢保持具
【図１】
2009160024.tif 000003
【図２】
2009160024.tif 000004
【図３】
2009160024.tif 000005
【図４】
2009160024.tif 000006
【図５】
2009160024.tif 000007
【図６】
2009160024.tif 000008
【図７】
2009160024.tif 000009
【図８】
2009160024.tif 000010
【図９】
2009160024.tif 000011
【図１０】
2009160024.tif 000012
【図１１】
2009160024.tif 000013
【図１２】
2009160024.tif 000014
【図１３】
2009160024.tif 000015
【図１４】
2009160024.tif 000016
【図１５】
2009160024.tif 000017
【図１６】
2009160024.tif 000018
【図１７】
2009160024.tif 000019
【図１８】
2009160024.tif 000020
【図１９】
2009160024.tif 000021
【図２０】
2009160024.tif 000022
【図２１】
2009160024.tif 000023
【図２２】
2009160024.tif 000024
【図２３】
2009160024.tif 000025
【図２４】
2009160024.tif 000026
【図２５】
2009160024.tif 000027
【図２６】
2009160024.tif 000028